(57)【特許請求の範囲】
【請求項１】
ワイヤレス通信デバイス(WCD)によって、少なくとも第1のパイロットチャネルおよび第2のパイロットチャネルを含む2つ以上のパイロットチャネルの前記WCDによる送信に応答してビームフォーミング重みベクトルを受信するステップと、
前記第1のパイロットチャネル、1つまたは複数のデータチャネル、あるいは1つまたは複数の制御チャネルのうちの少なくとも1つに前記受信したビームフォーミング重みベクトルを適用するステップと、
前記第1のパイロットチャネル、前記第2のパイロットチャネル、前記1つまたは複数のデータチャネル、および前記1つまたは複数の制御チャネルを、2つ以上のアンテナを使用して送信するステップであり、パイロットチャネルの数が前記2つ以上のアンテナの数以上である、ステップと、
前記受信されたビームフォーミング重みベクトルを前記2つ以上のパイロットチャネルのうちの第3のパイロットチャネルに適用するステップと、
前記2つ以上のアンテナを使用して、前記受信されたビームフォーミング重みベクトルとともに前記第3のパイロットチャネルを送信するステップと、
前記2つ以上のアンテナのうちの第1のアンテナを使用して、前記第1のパイロットチャネルを送信するステップと、
前記2つ以上のアンテナのうちの第2のアンテナを使用して、前記第2のパイロットチャネルを送信するステップと
を含み、前記第1のパイロットチャネルおよび前記第2のパイロットチャネルは、前記2つ以上のアンテナのうちの同じアンテナで送信されない、アップリンクビームフォーミング送信ダイバーシティを可能にする方法。
【請求項２】
前記受信されたビームフォーミング重みベクトルから第2のビームフォーミング重みベクトルを導出するステップと、
前記導出された第2のビームフォーミング重みベクトルを前記第2のパイロットチャネルに適用するステップと、
前記2つ以上のアンテナを使用して、前記受信されたビームフォーミング重みベクトルとともに前記第1のパイロットチャネルを送信するステップと、
前記2つ以上のアンテナを使用して、前記導出された第2のビームフォーミング重みベクトルとともに前記第2のパイロットチャネルを送信するステップと
をさらに含む請求項1に記載の方法。
【請求項３】
前記2つ以上のアンテナのうちの第1のアンテナを使用して、前記第1のパイロットチャネルを送信するステップと、
前記2つ以上のアンテナのうちの第2のアンテナを使用して、前記第2のパイロットチャネルを送信するステップと
をさらに含む請求項1に記載の方法。
【請求項４】
前記2つ以上のアンテナを使用して、前記受信されたビームフォーミング重みベクトルとともに前記第1のパイロットチャネルを送信するステップと、
前記2つ以上のアンテナのうちの第2のアンテナを使用して、前記第2のパイロットチャネルを送信するステップと
をさらに含む請求項1に記載の方法。
【請求項５】
前記第1のパイロットチャネルおよび前記第2のパイロットチャネルの前記WCDによる前記送信が時間整合される請求項1に記載の方法。
【請求項６】
前記ビームフォーミング重みベクトルが、前記1つまたは複数のデータチャネル、あるいは前記1つまたは複数の制御チャネルの信号対雑音比を最大にするように決定される請求項1に記載の方法。
【請求項７】
ビームフォーミング重みベクトルが位相情報または振幅情報のうちの少なくとも1つを含む請求項1に記載の方法。
【請求項８】
前記位相情報が、0度、90度、180度、および270度を含む使用可能な位相の有限集合の選択を含む請求項７に記載の方法。
【請求項９】
ビームフォーミング重みベクトルが位相情報を含み、前記第2のビームフォーミング重みベクトルが、前記受信されたビームフォーミング重みベクトルに直交するように導出される請求項2に記載の方法。
【請求項１０】
前記2つ以上のアンテナを使用した前記第2のパイロットチャネルおよび前記導出された第2のビームフォーミング重みベクトルの前記送信が、1未満の値を有する非負のスケーリング係数によってスケール変更される請求項2に記載の方法。
【請求項１１】
前記ビームフォーミング重みベクトルが、フラクショナル専用物理チャネルを使用して受信される請求項1に記載の方法。
【請求項１２】
前記第1のパイロットチャネルの電力制御値を受信するステップと、
前記受信された電力制御値から前記第2のパイロットチャネルの第2の電力制御値を導出するステップと
をさらに含む請求項1に記載の方法。
【請求項１３】
受信する前記ステップが、前記2つ以上のパイロットチャネルの各々についての電力制御値を受信するステップをさらに含む請求項1に記載の方法。
【請求項１４】
前記2つ以上のアンテナが物理アンテナである請求項1に記載の方法。
【請求項１５】
コンピュータに
少なくとも第1のパイロットチャネルおよび第2のパイロットチャネルを含む2つ以上のパイロットチャネルのWCDによる送信に応答してビームフォーミング重みベクトルを受信させ、
前記第1のパイロットチャネル、1つまたは複数のデータチャネル、あるいは1つまたは複数の制御チャネルのうちの少なくとも1つに前記受信されたビームフォーミング重みベクトルを適用させ、
前記第1のパイロットチャネル、前記第2のパイロットチャネル、前記1つまたは複数のデータチャネル、および前記1つまたは複数の制御チャネルを、2つ以上のアンテナを使用して送信させ、パイロットチャネルの数が前記2つ以上のアンテナの数以上であるようにし、
前記受信されたビームフォーミング重みベクトルを前記2つ以上のパイロットチャネルのうちの第3のパイロットチャネルに適用させ、
前記2つ以上のアンテナを使用して、前記受信されたビームフォーミング重みベクトルとともに前記第3のパイロットチャネルを送信させ、
前記2つ以上のアンテナのうちの第1のアンテナを使用して、前記第1のパイロットチャネルを送信させ、
前記2つ以上のアンテナのうちの第2のアンテナを使用して、前記第2のパイロットチャネルを送信させ、
前記第1のパイロットチャネルおよび前記第2のパイロットチャネルは、前記2つ以上のアンテナのうちの同じアンテナで送信されないように
させるためのコードを記録するコンピュータ可読記録媒体。
【請求項１６】
前記コンピュータ可読記録媒体が、前記コンピュータに
前記受信されたビームフォーミング重みベクトルから第2のビームフォーミング重みベクトルを導出させ、
前記導出された第2のビームフォーミング重みベクトルを第2のパイロットチャネルに適用させ、
前記2つ以上のアンテナを使用して、前記受信されたビームフォーミング重みベクトルとともに前記第1のパイロットチャネルを送信させ、
前記2つ以上のアンテナを使用して、前記導出された第2のビームフォーミング重みベクトルとともに前記第2のパイロットチャネルを送信させる
ためのコードをさらに記録する請求項１５に記載のコンピュータ可読記録媒体。
【請求項１７】
前記コンピュータ可読記録媒体が、前記コンピュータに
前記2つ以上のアンテナのうちの第1のアンテナを使用して、前記第1のパイロットチャネルを送信させ、
前記2つ以上のアンテナのうちの第2のアンテナを使用して、前記第2のパイロットチャネルを送信させる
ためのコードをさらに記録する請求項１５に記載のコンピュータ可読記録媒体。
【請求項１８】
前記コンピュータ可読記録媒体が、前記コンピュータに
前記2つ以上のアンテナを使用して、前記受信されたビームフォーミング重みベクトルとともに前記第1のパイロットチャネルを送信させ、
前記2つ以上のアンテナのうちの第2のアンテナを使用して、前記第2のパイロットチャネルを送信させる
ためのコードをさらに記録する請求項１５に記載のコンピュータ可読記録媒体。
【請求項１９】
前記第1のパイロットチャネルおよび前記第2のパイロットチャネルの前記WCDによる前記送信が時間整合される請求項１５に記載のコンピュータ可読記録媒体。
【請求項２０】
前記ビームフォーミング重みベクトルが、前記1つまたは複数のデータチャネル、あるいは前記1つまたは複数の制御チャネルの信号対雑音比を最大にするように決定される請求項１５に記載のコンピュータ可読記録媒体。
【請求項２１】
ビームフォーミング重みベクトルが位相情報または振幅情報のうちの少なくとも1つを含む請求項１５に記載のコンピュータ可読記録媒体。
【請求項２２】
前記位相情報が、0度、90度、180度、および270度を含む使用可能な位相の有限集合の選択を含む請求項２１に記載のコンピュータ可読記録媒体。
【請求項２３】
ビームフォーミング重みベクトルが位相情報を含み、前記第2のビームフォーミング重みベクトルが、前記受信されたビームフォーミング重みベクトルに直交するように導出される請求項１６に記載のコンピュータ可読記録媒体。
【請求項２４】
前記2つ以上のアンテナを使用した前記第2のパイロットチャネルおよび前記導出された第2のビームフォーミング重みベクトルの前記送信が、1未満の値を有する非負のスケーリング係数によってスケール変更される請求項１６に記載のコンピュータ可読記録媒体。
【請求項２５】
前記ビームフォーミング重みベクトルが、フラクショナル専用物理チャネルを使用して受信される請求項１５に記載のコンピュータ可読記録媒体。
【請求項２６】
前記コンピュータ可読記録媒体が、前記コンピュータに
前記第1のパイロットチャネルの電力制御値を受信させ、
前記受信された電力制御値から前記第2のパイロットチャネルの第2の電力制御値を導出させる
ためのコードをさらに記録する請求項１５に記載のコンピュータ可読記録媒体。
【請求項２７】
前記コンピュータ可読記録媒体が、前記コンピュータに前記2つ以上のパイロットチャネルの各々についての電力制御値を受信させるためのコードをさらに記録する請求項１５に記載のコンピュータ可読記録媒体。
【請求項２８】
前記2つ以上のアンテナが物理アンテナである請求項１５に記載のコンピュータ可読記録媒体。
【請求項２９】
ワイヤレス通信デバイス(WCD)によって、少なくとも第1のパイロットチャネルおよび第2のパイロットチャネルを含む2つ以上のパイロットチャネルの前記WCDによる送信に応答してビームフォーミング重みベクトルを受信するための手段と、
前記第1のパイロットチャネル、1つまたは複数のデータチャネル、あるいは1つまたは複数の制御チャネルのうちの少なくとも1つに前記受信されたビームフォーミング重みベクトルを適用するための手段と、
前記第1のパイロットチャネル、前記第2のパイロットチャネル、前記1つまたは複数のデータチャネル、および前記1つまたは複数の制御チャネルを、2つ以上のアンテナを使用して送信するための手段であり、パイロットチャネルの数が前記2つ以上のアンテナの数以上である、手段と、
前記受信されたビームフォーミング重みベクトルを前記2つ以上のパイロットチャネルのうちの第3のパイロットチャネルに適用するための手段と、
前記2つ以上のアンテナを使用して、前記受信されたビームフォーミング重みベクトルとともに前記第3のパイロットチャネルを送信するための手段と、
前記2つ以上のアンテナのうちの第1のアンテナを使用して、前記第1のパイロットチャネルを送信するための手段と、
前記2つ以上のアンテナのうちの第2のものを使用して、前記第2のパイロットチャネルを送信するための手段と
を含み、前記第1のパイロットチャネルおよび前記第2のパイロットチャネルは、前記2つ以上のアンテナのうちの同じアンテナで送信されない、アップリンクビームフォーミング送信ダイバーシティを可能にするための装置。
【請求項３０】
前記受信されたビームフォーミング重みベクトルから第2のビームフォーミング重みベクトルを導出するための手段と、
前記導出された第2のビームフォーミング重みベクトルを前記第2のパイロットチャネルに適用するための手段と、
前記2つ以上のアンテナを使用して、前記受信されたビームフォーミング重みベクトルとともに前記第1のパイロットチャネルを送信するための手段と、
前記2つ以上のアンテナを使用して、前記導出された第2のビームフォーミング重みベクトルとともに前記第2のパイロットチャネルを送信するための手段と
をさらに含む請求項２９に記載の装置。
【請求項３１】
前記2つ以上のアンテナのうちの第1のアンテナを使用して、前記第1のパイロットチャネルを送信するための手段と、
前記2つ以上のアンテナのうちの第2のアンテナを使用して、前記第2のパイロットチャネルを送信するための手段と
をさらに含む請求項２９に記載の装置。
【請求項３２】
前記2つ以上のアンテナを使用して、前記受信されたビームフォーミング重みベクトルとともに前記第1のパイロットチャネルを送信するための手段と、
前記2つ以上のアンテナのうちの第2のものを使用して、前記第2のパイロットチャネルを送信するための手段と
をさらに含む請求項２９に記載の装置。
【請求項３３】
前記第1のパイロットチャネルおよび前記第2のパイロットチャネルの前記WCDによる前記送信が時間整合される請求項２９に記載の装置。
【請求項３４】
前記ビームフォーミング重みベクトルが、前記1つまたは複数のデータチャネル、あるいは前記1つまたは複数の制御チャネルの信号対雑音比を最大にするように決定される請求項２９に記載の装置。
【請求項３５】
ビームフォーミング重みベクトルが位相情報または振幅情報のうちの少なくとも1つを含む請求項２９に記載の装置。
【請求項３６】
前記位相情報が、0度、90度、180度、および270度を含む使用可能な位相の有限集合の選択を含む請求項３５に記載の装置。
【請求項３７】
ビームフォーミング重みベクトルが位相情報を含み、前記第2のビームフォーミング重みベクトルが、前記受信されたビームフォーミング重みベクトルに直交するように導出される請求項３０に記載の装置。
【請求項３８】
前記2つ以上のアンテナを使用した前記第2のパイロットチャネルおよび前記導出された第2のビームフォーミング重みベクトルの前記送信が、1未満の値を有する非負のスケーリング係数によってスケール変更される請求項３０に記載の装置。
【請求項３９】
前記ビームフォーミング重みベクトルが、フラクショナル専用物理チャネルを使用して受信される請求項２９に記載の装置。
【請求項４０】
前記第1のパイロットチャネルの電力制御値を受信するための手段と、
前記受信された電力制御値から前記第2のパイロットチャネルの第2の電力制御値を導出するための手段と
をさらに含む請求項２９に記載の装置。
【請求項４１】
受信するための前記手段が、前記2つ以上のパイロットチャネルの各々についての電力制御値を受信するための手段をさらに含む請求項２９に記載の装置。
【請求項４２】
前記2つ以上のアンテナが物理アンテナである請求項２９に記載の装置。
【請求項４３】
少なくとも第1のパイロットチャネルおよび第2のパイロットチャネルを含む2つ以上のパイロットチャネルのワイヤレス通信デバイス(WCD)による送信に応答してビームフォーミング重みベクトルを受信し、前記第1のパイロットチャネル、1つまたは複数のデータチャネル、あるいは1つまたは複数の制御チャネルのうちの少なくとも1つに前記受信されたビームフォーミング重みベクトルを適用し、前記第1のパイロットチャネル、前記第2のパイロットチャネル、前記1つまたは複数のデータチャネル、および前記1つまたは複数の制御チャネルを、2つ以上のアンテナを使用して送信し、パイロットチャネルの数が前記2つ以上のアンテナの数以上であり、前記受信されたビームフォーミング重みベクトルを第3のパイロットチャネルに適用し、前記2つ以上のアンテナを使用して、前記受信されたビームフォーミング重みベクトルとともに前記第3のパイロットチャネルを送信させ、前記2つ以上のアンテナのうちの第1のアンテナを使用して、前記第1のパイロットチャネルを送信し、前記2つ以上のアンテナのうちの第2のものを使用して、前記第2のパイロットチャネルを送信するように構成されたプロセッサと、
データを格納するための前記プロセッサに結合されたメモリと
を含み、前記第1のパイロットチャネルおよび前記第2のパイロットチャネルは、前記2つ以上のアンテナのうちの同じアンテナで送信されない、ワイヤレス通信システムで動作可能な装置。
【請求項４４】
前記プロセッサが、
前記受信されたビームフォーミング重みベクトルから第2のビームフォーミング重みベクトルを導出し、
前記導出された第2のビームフォーミング重みベクトルを前記第2のパイロットチャネルに適用し、
前記2つ以上のアンテナを使用して、前記受信されたビームフォーミング重みベクトルとともに前記第1のパイロットチャネルを送信させ、
前記2つ以上のアンテナを使用して、前記導出された第2のビームフォーミング重みベクトルとともに前記第2のパイロットチャネルを送信させる
ようにさらに構成された請求項４３に記載の装置。
【請求項４５】
前記プロセッサが、
前記2つ以上のアンテナのうちの第1のアンテナを使用して、前記第1のパイロットチャネルを送信させ、
前記2つ以上のアンテナのうちの第2のアンテナを使用して、前記第2のパイロットチャネルを送信する
ようにさらに構成された請求項４３に記載の装置。
【請求項４６】
前記プロセッサが、
前記2つ以上のアンテナを使用して、前記受信されたビームフォーミング重みベクトルとともに前記第1のパイロットチャネルを送信し、
前記2つ以上のアンテナのうちの第2のものを使用して、前記第2のパイロットチャネルを送信する
ようにさらに構成された請求項４３に記載の装置。
【請求項４７】
前記第1のパイロットチャネルおよび前記第2のパイロットチャネルの前記WCDによる前記送信が時間整合される請求項４３に記載の装置。
【請求項４８】
前記ビームフォーミング重みベクトルが、前記1つまたは複数のデータチャネル、あるいは前記1つまたは複数の制御チャネルの信号対雑音比を最大にするように決定される請求項４３に記載の装置。
【請求項４９】
ビームフォーミング重みベクトルが位相情報または振幅情報のうちの少なくとも1つを含む請求項４３に記載の装置。
【請求項５０】
前記位相情報が、0度、90度、180度、および270度を含む使用可能な位相の有限集合の選択を含む請求項４９に記載の装置。
【請求項５１】
ビームフォーミング重みベクトルが位相情報を含み、前記第2のビームフォーミング重みベクトルが、前記受信されたビームフォーミング重みベクトルに直交するように導出される請求項４４に記載の装置。
【請求項５２】
前記2つ以上のアンテナを使用した前記第2のパイロットチャネルおよび前記導出された第2のビームフォーミング重みベクトルの前記送信が、1未満の値を有する非負のスケーリング係数によってスケール変更される請求項４４に記載の装置。
【請求項５３】
前記ビームフォーミング重みベクトルが、フラクショナル専用物理チャネルを使用して受信される請求項４３に記載の装置。
【請求項５４】
前記プロセッサが、
前記第1のパイロットチャネルの電力制御値を受信し、
前記受信された電力制御値から前記第2のパイロットチャネルの第2の電力制御値を導出する
ようにさらに構成された請求項４３に記載の装置。
【請求項５５】
前記プロセッサが、前記2つ以上のパイロットチャネルの各々についての電力制御値を受信するようにさらに構成された請求項４３に記載の装置。
【請求項５６】
前記2つ以上のアンテナが物理アンテナである請求項４３に記載の装置。
【請求項５７】
少なくとも第1のパイロットチャネルおよび第2のパイロットチャネルを含む2つ以上のパイロットチャネルのワイヤレス通信デバイス(WCD)による送信に応答してビームフォーミング重みベクトルを受信するように動作可能な受信機と、
前記第1のパイロットチャネル、1つまたは複数のデータチャネル、あるいは1つまたは複数の制御チャネルのうちの少なくとも1つに前記受信されたビームフォーミング重みベクトルを適用するためのビームフォーミングベクトルモジュールと、
前記第1のパイロットチャネル、前記第2のパイロットチャネル、前記1つまたは複数のデータチャネル、および前記1つまたは複数の制御チャネルを、2つ以上のアンテナを使用して送信するように動作可能な送信機であり、パイロットチャネルの数が前記2つ以上のアンテナの数以上である、送信機と
を含み、
前記第1のパイロットチャネルおよび前記第2のパイロットチャネルは、前記2つ以上のアンテナのうちの同じアンテナで送信されず、
前記ビームフォーミングモジュールが、前記受信されたビームフォーミング重みベクトルを前記2つ以上のパイロットチャネルのうちの第3のパイロットチャネルに適用するようにさらに動作可能であり、前記送信機が、
前記2つ以上のアンテナを使用して、前記受信されたビームフォーミング重みベクトルとともに前記第3のパイロットチャネルを送信し、
前記2つ以上のアンテナのうちの第1のアンテナを使用して、前記第1のパイロットチャネルを送信し、
前記2つ以上のアンテナのうちの第2のものを使用して、前記第2のパイロットチャネルを送信する
ようにさらに動作可能である、ワイヤレス通信デバイス(WCD)。
【請求項５８】
前記ビームフォーミングモジュールが、
前記受信されたビームフォーミング重みベクトルから第2のビームフォーミング重みベクトルを導出し、
前記導出された第2のビームフォーミング重みベクトルを前記第2のパイロットチャネルに適用する
ようにさらに動作可能であり、
前記送信機が、
前記2つ以上のアンテナを使用して、前記受信されたビームフォーミング重みベクトルとともに前記第1のパイロットチャネルを送信し、
前記2つ以上のアンテナを使用して、前記導出された第2のビームフォーミング重みベクトルとともに前記第2のパイロットチャネルを送信する
ようにさらに動作可能である請求項５７に記載のWCD。
【請求項５９】
前記送信機が、
前記2つ以上のアンテナのうちの第1のアンテナを使用して、前記第1のパイロットチャネルを送信し、
前記2つ以上のアンテナのうちの第2のアンテナを使用して、前記第2のパイロットチャネルを送信する
ようにさらに動作可能である請求項５７に記載のWCD。
【請求項６０】
前記送信機が、
前記2つ以上のアンテナを使用して、前記受信されたビームフォーミング重みベクトルとともに前記第1のパイロットチャネルを送信し、
前記2つ以上のアンテナのうちの第2のものを使用して、前記第2のパイロットチャネルを送信する
ようにさらに動作可能である請求項５７に記載のWCD。
【請求項６１】
前記第1のパイロットチャネルおよび前記第2のパイロットチャネルの前記WCDによる前記送信が時間整合される請求項５７に記載のWCD。
【請求項６２】
前記ビームフォーミング重みベクトルが、前記1つまたは複数のデータチャネル、および前記1つまたは複数の制御チャネルの信号対雑音比を最大にするように決定される請求項５７に記載のWCD。
【請求項６３】
ビームフォーミング重みベクトルが位相情報または振幅情報のうちの少なくとも1つを含む請求項５７に記載のWCD。
【請求項６４】
前記位相情報が、0度、90度、180度、および270度を含む使用可能な位相の有限集合の選択を含む請求項６３に記載のWCD。
【請求項６５】
ビームフォーミング重みベクトルが位相情報を含み、前記第2のビームフォーミング重みベクトルが、前記受信されたビームフォーミング重みベクトルに直交するように導出される請求項５８に記載のWCD。
【請求項６６】
前記2つ以上のアンテナを使用した前記第2のパイロットチャネルおよび前記導出された第2のビームフォーミング重みベクトルの前記送信が、1未満の値を有する非負のスケーリング係数によってスケール変更される請求項５８に記載のWCD。
【請求項６７】
前記ビームフォーミング重みベクトルが、フラクショナル専用物理チャネルを使用して受信される請求項５７に記載のWCD。
【請求項６８】
前記受信機が、前記2つ以上のパイロットチャネルの各々の電力制御値を受信するようにさらに動作可能であり、前記ビームフォーミングモジュールが、前記受信された電力制御値から前記第2のパイロットチャネルの第2の電力制御値を導出するようにさらに動作可能である請求項５７に記載のWCD。
【請求項６９】
前記受信機が、前記2つ以上のパイロットチャネルの各々についての電力制御値を受信するようにさらに構成された請求項５７に記載のWCD。
【請求項７０】
前記2つ以上のアンテナが物理アンテナである請求項５７に記載のWCD。
【発明の詳細な説明】
【技術分野】
【０００１】
関連出願の相互参照
本出願は、参照によりその全体が本明細書に明確に組み込まれる、2010年2月5日に出願された「APPARATUS AND METHOD FOR ENABLING UPLINK BEAMFORMING TRANSIT DIVERSITY」という名称の米国仮特許出願第61/302,056号の利益を主張する。
【０００２】
本開示の態様は、一般的に、ワイヤレス通信システムに関し、より詳細には、1つまたは複数のビームフォーミング方式を使用して、アップリンク送信ダイバーシティを可能にするためのワイヤレス通信システムに関する。
【背景技術】
【０００３】
音声、データなど、様々なタイプの通信コンテンツを提供するために、ワイヤレス通信システムが広く配置されている。これらのシステムは、使用可能なシステムリソース(たとえば、帯域幅および送信電力)を共有することによって複数のユーザとの通信をサポートすることができる多元接続システムであり得る。そのような多元接続システムの例には、符号分割多元接続(CDMA)システム、時分割多元接続(TDMA)システム、周波数分割多元接続(FDMA)システム、3GPP Long Term Evolution (LTE)システム、直交周波数分割多元接続(OFDMA)システム、および高速パケットアクセス(HSPA)システムなどがある。
【０００４】
一般的に、ワイヤレス多元接続通信システムは、複数のワイヤレス端末の通信を同時にサポートすることができる。各端末は、順方向および逆方向のリンク上の送信を介して1つまたは複数の基地局と通信する。順方向リンク(またはダウンリンク)は、基地局から端末までの通信リンクを指し、逆方向リンク(またはアップリンク)は、端末から基地局までの通信リンクを指す。この通信リンクは、単入力単出力、多入力単出力、または多入力多出力(MIMO)システムを介して確立され得る。
【０００５】
MIMOシステムは、データ送信のための複数(NT)の送信アンテナおよび複数(NR)の受信アンテナを使用する。NT個の送信アンテナおよびNR個の受信アンテナによって形成されるMIMOチャネルを、空間チャネルとも呼ばれるNS個の独立チャネルに分解することができ、この場合、NS ≦ min{NT, NR}である。NS個の独立チャネルの各々は、次元に対応する。複数の送信アンテナおよび受信アンテナによって作成される追加の次元が使用される場合、MIMOシステムは、性能を向上させる(たとえば、より高いスループットおよび/またはより大きい信頼度)ことができる。
【０００６】
一般に、アップリンク通信中、2つの態様を観察することができ、第1の態様は、送信電力に関連し、第2の態様は、ノードB(たとえば基地局)で観察される干渉に関連し得る。第1の態様に関して、ワイヤレス通信装置(WCD)(たとえばユーザ機器(UE))は、最大送信電力によって制限され、したがって最大相関データ送信レートが制限され得る。第2の態様に関して、他のユーザによって引き起こされる干渉は、システム容量を制限し得る。
【発明の概要】
【発明が解決しようとする課題】
【０００７】
したがって、所与のデータレートに使用される送信電力を低減し、サービングセル以外のセルに対する干渉を軽減するための改良された装置および方法が望まれる。
【課題を解決するための手段】
【０００８】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００９】
1つまたは複数の態様およびその対応する開示によれば、1つまたは複数のビームフォーミング方式を使用してアップリンク送信ダイバーシティを可能にするための様々な態様について説明する。一態様によれば、アップリンクビームフォーミング送信ダイバーシティを可能にするための方法が提供される。この方法は、ワイヤレス通信デバイス(WCD)によって、2つ以上のパイロットチャネルのWCDによる送信に応答してビームフォーミング重みベクトルを受信するステップを含むことができる。さらに、この方法は、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用するステップを含み得る。さらに、この方法は、1つまたは複数のデータチャネルのうちの少なくとも1つ、あるいは1つまたは複数の制御チャネルのうちの少なくとも1つを、2つ以上のアンテナを使用して送信するステップであり、パイロットチャネルの数がアンテナの数以上である、ステップを含み得る。
【００１０】
別の態様は、コンピュータ可読媒体を含むコンピュータプログラム製品に関する。コンピュータ可読媒体は、2つ以上のパイロットチャネルのWCDによる送信に応答してビームフォーミング重みベクトルを受信するように実行可能なコードを含む。さらに、コンピュータ可読媒体は、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用するように実行可能なコードを含む。さらに、コンピュータ可読媒体は、1つまたは複数のデータチャネルのうちの少なくとも1つ、あるいは1つまたは複数の制御チャネルのうちの少なくとも1つを、2つ以上のアンテナを使用して送信し、パイロットチャネルの数がアンテナの数以上であるように実行可能なコードを含む。
【００１１】
さらに別の一態様は、装置に関する。この装置は、WCDによって、2つ以上のパイロットチャネルのWCDによる送信に応答してビームフォーミング重みベクトルを受信するための手段を含むことができる。さらに、この装置は、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用するための手段を含み得る。さらに、この装置は、1つまたは複数のデータチャネルのうちの少なくとも1つ、あるいは1つまたは複数の制御チャネルのうちの少なくとも1つを、2つ以上のアンテナを使用して送信するための手段であり、パイロットチャネルの数がアンテナの数以上である、手段を含み得る。
【００１２】
別の態様は、装置に関する。この装置は、2つ以上のパイロットチャネルのWCDによる送信に応答してビームフォーミング重みベクトルを受信し、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用し、1つまたは複数のデータチャネルのうちの少なくとも1つ、あるいは1つまたは複数の制御チャネルのうちの少なくとも1つを、2つ以上のアンテナを使用して送信し、パイロットチャネルの数がアンテナの数以上であるように構成されたプロセッサを含むことができる。さらに、この装置は、データを格納するためのプロセッサに結合されたメモリを含むことができる。
【００１３】
さらに別の態様は、装置に関する。この装置は、2つ以上のパイロットチャネルのWCDによる送信に応答してビームフォーミング重みベクトルを受信するための受信機を含むことができる。さらに、この装置は、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用するためのビームフォーミングベクトルモジュールを含み得る。さらに、この装置は、1つまたは複数のデータチャネルのうちの少なくとも1つ、あるいは1つまたは複数の制御チャネルのうちの少なくとも1つを、2つ以上のアンテナを使用して送信するための送信機であり、パイロットチャネルの数がアンテナの数以上である、送信機を含むことができる。
【００１４】
別の態様に従って、ビームフォーミング重みベクトルを生成するための方法が提供される。この方法は、ワイヤレス通信デバイスから、2つ以上のパイロットチャネル信号を受信するステップを含むことができる。さらに、この方法は、2つ以上のパイロットチャネルのうちの第1のものの信号対雑音比を最大にするようにビームフォーミング重みベクトルを決定するステップを含むことができる。さらに、この方法は、決定されたビームフォーミング重みベクトルをWCDに送信するステップを含むことができる。
【００１５】
別の態様は、コンピュータ可読媒体を含むコンピュータプログラム製品に関する。このコンピュータ可読媒体は、ワイヤレス通信デバイスから、2つ以上のパイロットチャネル信号を受信するように実行可能なコードを含む。さらに、このコンピュータ可読媒体は、2つ以上のパイロットチャネルのうちの第1のものの信号対雑音比を最大にするようにビームフォーミング重みベクトルを決定するように実行可能なコードを含む。さらに、このコンピュータ可読媒体は、決定されたビームフォーミング重みベクトルをWCDに送信するように実行可能なコードを含む。
【００１６】
さらに別の一態様は、装置に関する。この装置は、ワイヤレス通信デバイスから、2つ以上のパイロットチャネル信号を受信するための手段を含むことができる。さらに、この装置は、2つ以上のパイロットチャネルのうちの第1のものの信号対雑音比を最大にするようにビームフォーミング重みベクトルを決定するための手段を含むことができる。さらに、この装置は、決定されたビームフォーミング重みベクトルをWCDに送信するための手段を含むことができる。
【００１７】
別の態様は、装置に関する。この装置は、ワイヤレス通信デバイスから、2つ以上のパイロットチャネル信号を受信し、2つ以上のパイロットチャネルのうちの第1のものの信号対雑音比を最大にするようにビームフォーミング重みベクトルを決定し、決定されたビームフォーミング重みベクトルをWCDに送信するように構成されたプロセッサを含み得る。さらに、この装置は、データを格納するためのプロセッサに結合されたメモリを含むことができる。
【００１８】
さらに別の態様は、装置に関する。この装置は、ワイヤレス通信デバイスから、2つ以上のパイロットチャネル信号を受信するように動作可能な受信機を含むことができる。さらに、この装置は、2つ以上のパイロットチャネルのうちの第1のものの信号対雑音比を最大にするようにビームフォーミング重みベクトルを決定するように動作可能なビームフォーミングベクトルモジュールを含むことができる。さらに、この装置は、決定されたビームフォーミング重みベクトルをWCDに送信するように動作可能な送信機を含むことができる。
【００１９】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が使用され得る様々な方法のうちのほんのいくつかしか示しておらず、この説明は、そのようなすべての態様およびそれらの均等物を含むものとする。
【００２０】
本開示の特徴、性質、および利点は、下記の詳細な説明を図面と併せ読めばより明らかになる。図中、同様の参照符号は、全体を通じて同じ部分を表す。
【図面の簡単な説明】
【００２１】
【図１】一実施形態による多元接続ワイヤレス通信システムを示す図である。
【図２】通信システムを示すブロック図である。
【図３】処理システムを使用する装置のためのハードウェア実装の一例を示す図である。
【図４】電気通信システムの一例を概念的に示すブロック図である。
【図５】一態様によるワイヤレス通信システムにおいて通信を構築し、行うためのシステムを示すブロック図である。
【図６】一態様による1つまたは複数のビームフォーミング方式を使用したアップリンク送信ダイバーシティを可能にするための方法を示す流れ図の一例である。
【図７】一態様によるアップリンクビームフォーミング送信ダイバーシティ方式の実施を示すブロック図の一例である。
【図８】一態様によるアップリンクビームフォーミング送信ダイバーシティ方式の実施を示すブロック図の別の例である。
【図９】一態様によるアップリンクビームフォーミング送信ダイバーシティ方式の実施を示すブロック図のさらに別の例である。
【図１０】一態様によるアップリンクビームフォーミング送信ダイバーシティ方式の実施を示すブロック図のさらに別の例である。
【図１１】一態様による1つまたは複数のビームフォーミング方式を使用したアップリンク送信ダイバーシティを容易にすることができるワイヤレス通信デバイスの一例を示すブロック図である。
【図１２】本明細書で説明する別の態様による1つまたは複数のビームフォーミング方式を可能にするように構成される基地局のアーキテクチャを示すブロック図である。
【発明を実施するための形態】
【００２２】
本明細書で説明する技法は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどの様々なワイヤレス通信ネットワークに使用され得る。「ネットワーク」および「システム」という用語は、しばしば互換的に使用される。CDMAネットワークは、ユニバーサル地上無線アクセス(UTRA)、cdma2000などの無線技術を実装することができる。UTRAは、広帯域CDMA(W-CDMA)および低チップレート(LCR)を含む。cdma2000は、IS-2000、IS-95、およびIS-856規格をカバーする。TDMAネットワークは、Global System for Mobile Communications(GSM(登録商標))などの無線技術を実装することができる。OFDMAネットワークは、進化型UTRA (E-UTRA)、IEEE 802.11、IEEE 802.16、IEEE 802.20、Flash-OFDM (登録商標)などの無線技術を実装することができる。UTRA、E-UTRA、およびGSM(登録商標)は、ユニバーサルモバイル通信システム(UMTS)の一部である。Long Term Evolution (LTE)は、E-UTRAを使用するUMTSの来るべきリリースである。UTRA、E-UTRA、GSM(登録商標)、UMTS、およびLTEは、「第3世代パートナーシッププロジェクト」(3GPP)という名称の組織からの文書に記載されている。cdma2000は、「第3世代パートナーシッププロジェクト2」(3GPP2)という名称の組織からの文書に記載されている。これらの様々な無線技術および標準は、当技術分野で知られている。明快のために、技法のいくつかの態様では、以下ではLTEについて説明し、下記の説明の多くにおいてLTE用語が使用される。
【００２３】
シングルキャリア周波数分割多元接続(SC-FDMA)は、シングルキャリア変調および周波数領域等化を使用し、一技法である。SC-FDMAは、類似の性能、および本質的にOFDMAシステムのもと同じ全体的な複雑さを有する。SC-FDMA信号は、その固有のシングルキャリア構造のために、ピーク対平均電力比(PAPR)が低い。SC-FDMAは、特に、より低いPAPRが送信電力効率に関してモバイル端末に大幅に利益を与えるアップリンク通信で、大きな関心をひいた。これは現在、3GPP Long Term Evolution (LTE)または進化型UTRAでのアップリンク多元接続方式の作業仮説である。
【００２４】
図1を参照すると、一実施形態による多元接続ワイヤレス通信システムが示されている。アクセスポイント100(AP)は、複数のアンテナグループを含み、あるグループは104および106を含み、別のグループは108および110を含み、さらに別のグループは112および114を含む。図1では、アンテナグループごとにアンテナが2つしか示されていないが、アンテナグループごとにより多いまたはより少ないアンテナが使用されてもよい。アクセス端末116(AT)は、アンテナ112および114と通信し、アンテナ112および114は、順方向リンク120を介してアクセス端末116に情報を送信し、逆方向リンク118を介してアクセス端末116から情報を受信する。アクセス端末122は、アンテナ106および108と通信し、アンテナ106および108は、順方向リンク126を介してアクセス端末122に情報を送信し、逆方向リンク124を介してアクセス端末122から情報を受信する。FDDシステムにおいて、通信リンク118、120、124、および126は、通信に異なる周波数を使用することができる。たとえば、順方向リンク120は、次いで逆方向リンク118によって使用される異なる周波数を使用することができる。
【００２５】
アンテナの各グループおよび/またはそれらが通信するように設計されているエリアは、しばしばアクセスポイントのセクタと呼ばれる。本実施形態では、アンテナグループはそれぞれ、アクセスポイント100によってカバーされるエリアのあるセクタにおけるアクセス端末と通信するように設計されている。
【００２６】
順方向リンク120および126上の通信において、アクセスポイント100の送信アンテナは、異なるアクセス端末116および124の順方向リンクの信号対雑音比を改善するためにビームフォーミングを使用する。また、アクセスポイントが、ビームフォーミングを使用して、そのカバレージを介してランダムに分散されたアクセス端末に送信することによって、アクセス端末が単一のアンテナを介してすべてのそのアクセス端末に送信するより、隣接セルにおけるアクセス端末への干渉がより少なくなる。
【００２７】
アクセスポイントは、端末と通信するために使用される固定局でもよく、アクセスポイント、ノードB、またはいくつかの他の用語で呼ばれ得る。また、アクセス端末は、アクセス端末、ユーザ機器(UE)、ワイヤレス通信デバイス、端末、アクセス端末、またはいくつかの他の用語で呼ばれ得る。
【００２８】
図2は、MIMOシステム200における送信機システム210(アクセスポイントとしても知られている)および受信機システム250(アクセス端末としても知られている)の一実施形態のブロック図である。一態様では、システム200は、1つまたは複数のモバイル送信ダイバーシティ方式を実施するために使用され得る。送信機システム210では、いくつかのデータストリームのトラフィックデータがデータソース212から送信(TX)データプロセッサ214に提供される。
【００２９】
一実施形態において、各データストリームは、それぞれの送信アンテナを通じて送信される。TXデータプロセッサ214は、符号化されたデータを提供するためにそのデータストリームについて選択された特定の符号化方式に基づいて、各データストリームのためのトラフィックデータをフォーマットし、符号化し、インターリーブする。
【００３０】
各データストリームの符号化されたデータは、OFDM技法を使用してパイロットデータと多重化され得る。パイロットデータは、一般的には、既知の方法で処理される既知のデータパターンであり、チャネル応答を推定するために、受信機システムで使用され得る。次いで、各データストリームの多重化されたパイロットおよび符号化されたデータは、変調シンボルを提供するためにそのデータストリームについて選択された特定の変調方式(たとえばBPSK、QSPK、M-PSK、またはM-QAM)に基づいて変調される(すなわち、シンボルマップされる)。各データストリームのデータレート、符号化、および変調は、プロセッサ230によって実行される命令によって決定され得る。
【００３１】
すべてのデータストリームの変調シンボルは、次いで、(たとえば、OFDMについて)変調シンボルをさらに処理できるTX MIMOプロセッサ220に提供される。次いで、TX MIMOプロセッサ220は、NT個の変調シンボルストリームをNT個の送信機(TMTR)222a〜222tに提供する。いくつかの実施形態では、TX MIMOプロセッサ220は、データストリームのシンボル、およびシンボルがそこから送信されるアンテナに、ビームフォーミング重みを適用する。
【００３２】
各送信機222は、それぞれのシンボルストリームを受信し、1つまたは複数のアナログ信号を提供するように処理し、MIMOチャネルを通じた送信に適した変調信号を提供するためにアナログ信号をさらに調整(たとえば、増幅、フィルタ処理、およびアップコンバート)する。次いで、送信機222a〜222tのNT個の変調された信号が、それぞれNT個のアンテナ224a〜224tから送信される。
【００３３】
受信機システム250において、送信された変調信号は、NR個のアンテナ252a〜252rによって受信され、各アンテナ252から受信された信号は、それぞれの受信機(RCVR)254a〜254rに提供される。各受信機254は、それぞれの受信信号を調整(たとえば、フィルタ処理、増幅、およびダウンコンバート)し、調整された信号をデジタル化してサンプルを提供し、対応する「受信された」シンボルストリームを提供するようにサンプルをさらに処理する。
【００３４】
次いで、RXデータプロセッサ260は、NT個の「検出された」シンボルストリームを提供するために、特定の受信機処理技法に基づいて、NR個の受信機254からNR個の受信されたシンボルストリームを受信し、処理する。次いで、RXデータプロセッサ260は、データストリームのトラフィックデータを回復するために、検出された各シンボルストリームを復調し、デインターリーブし、復号する。RXデータプロセッサ260による処理は、送信機システム210においてTX MIMOプロセッサ220およびTXデータプロセッサ214によって実行されるものと相補関係にある。
【００３５】
プロセッサ270は、どのプリコーディング行列を使用すべきかを定期的に決定する(後述する)。プロセッサ270は、行列インデックス部分およびランク値部分を含む逆方向リンクメッセージを編成する。
【００３６】
逆方向リンクメッセージは、通信リンクおよび/または受信されたデータストリームに関する様々なタイプの情報を含むことができる。次いで、逆方向リンクメッセージは、データソース236からいくつかのデータストリームのトラフィックデータも受信するTXデータプロセッサ238によって処理され、変調器280によって変調され、受信機254a〜254rによって調整され、送信機システム210に送り返される。
【００３７】
送信機システム210において、受信機システム250からの変調信号がアンテナ224によって受信され、送信機222によって調整され、復調器240によって復調され、受信機システム250によって送信された逆方向リンクメッセージを抽出するようにRXデータプロセッサ242によって処理される。次いで、プロセッサ230は、ビームフォーミング重みを決定するためにどのプリコーディング行列を使用すべきかを決定し、次いで、抽出されたメッセージを処理する。
【００３８】
一態様では、論理チャネルは、制御チャネルおよびトラフィックチャネルに分類される。論理制御チャネルは、システム制御情報をブロードキャストするDLチャネルであるブロードキャスト制御チャネル(BCCH)を含む。ページング情報を転送するDLチャネルであるページング制御チャネル(PCCH)。マルチメディアブロードキャストおよびマルチキャストサービス(MBMS)スケジューリングならびに1つまたは複数のMTCHに関する制御情報を送信するために使用されるポイントツーマルチポイントDLチャネルであるマルチキャスト制御チャネル(MCCH)。一般に、RRC接続を確立した後、このチャネルは、MBMS(注:古いMCCH + MSCH)を受信するUEによって使用されるだけである。専用制御チャネル(DCCH)は、専用の制御情報を送信するポイントツーポイント双方向チャネルであり、RRC接続を有するUEによって使用される。態様では、論理トラフィックチャネルは、ユーザ情報の転送のための、1つのUEに専用の、ポイントツーポイント双方向チャネルである専用トラフィックチャネル(DTCH)を含む。また、トラフィックデータを送信するポイントツーマルチポイントDLチャネルのためのマルチキャストトラフィックチャネル(MTCH)。
【００３９】
一態様では、トランスポートチャネルは、DLおよびULに分類される。DLトランスポートチャネルは、ブロードキャストチャネル(BCH)、ダウンリンク共有データチャネル(DL-SDCH)、およびページングチャネル(PCH)を含んでおり、UE省電力化のサポートのためのPCH(DRXサイクルはUEへのネットワークによって示される)は、セル全体にわたってブロードキャストされ、他の制御/トラフィックチャネルに使用することができるPHYリソースにマップされる。ULトランスポートチャネルは、ランダムアクセスチャネル(RACH)、要求チャネル(REQCH)、アップリンク共有データチャネル(UL-SDCH)、および複数のPHYチャネルを含む。PHYチャネルは、DLチャネルおよびULチャネルの組を含む。
【００４０】
DL PHYチャネルは、以下を含む。
共通パイロットチャネル(CPICH)
同期チャネル(SCH)
共通制御チャネル(CCCH)
共有DL制御チャネル(SDCCH)
マルチキャスト制御チャネル(MCCH)
共有UL割当てチャネル(SUACH)
肯定応答チャネル(ACKCH)
DL物理共有データチャネル(DL-PSDCH)
UL電力制御チャネル(UPCCH)
ページングインジケータチャネル(PICH)
負荷インジケータチャネル(LICH)
【００４１】
UL PHYチャネルは、以下を含む。
物理ランダムアクセスチャネル(PRACH)
チャネル品質インジケータチャネル(CQICH)
肯定応答チャネル(ACKCH)
アンテナサブセットインジケータチャネル(ASICH)
共有要求チャネル(SREQCH)
UL物理共有データチャネル(UL-PSDCH)
ブロードバンドパイロットチャネル(BPICH)
【００４２】
一態様において、シングルキャリア波形のPAR特性を低く(所与の時点に、チャネルが周波数において連続するまたは一様に離間する)保つチャネル構造が提供される。
【００４３】
本文書では、以下の略語が適用される。
AM  確認型モード
AMD  確認型モードデータ
ARQ  自動再送要求
BCCH  ブロードキャスト制御チャネル
BCH  ブロードキャストチャネル
C-  制御-
CCCH  共通制御チャネル
CCH  制御チャネル
CCTrCH  コード化複合トランスポートチャネル
CP  サイクリックプレフィックス
CRC  巡回冗長検査
CTCH  共通トラフィックチャネル
DCCH  専用制御チャネル
DCH  専用チャネル
DL  ダウンリンク
DSCH  ダウンリンク共有チャネル
DTCH  専用トラフィックチャネル
FACH  順方向アクセスチャネル
FDD  周波数分割複信
L1  レイヤ1(物理層)
L2  レイヤ2(データリンク層)
L3  レイヤ3(ネットワーク層)
LI  長さインジケータ
LSB  最下位ビット
MAC  媒体アクセス制御
MBMS  マルチメディアブロードキャストマルチキャストサービス
MCCH  MBMSポイントツーマルチポイント制御チャネル
MRW  動き受信ウィンドウ
MSB  最上位ビット
MSCH  MBMSポイントツーマルチポイントスケジューリングチャネル
MTCH  MBMSポイントツーマルチポイントトラフィックチャネル
PCCH  ページング制御チャネル
PCH  ページングチャネル
PDU  プロトコルデータ単位
PHY  物理層
PhyCH  物理チャネル
RACH  ランダムアクセスチャネル
RLC  無線リンク制御
RRC  無線リソース制御
SAP  サービスアクセスポイント
SDU  サービスデータ単位
SHCCH  共有チャネル制御チャネル
SN  シーケンス番号
SUFI  スーパーフィールド
TCH  トラフィックチャネル
TDD  時分割複信
TFI  伝送形式インジケータ
TM  透過モード
TMD  透過モードデータ
TTI  送信時間間隔
U-  ユーザ-
UE  ユーザ機器
UL  アップリンク
UM  非確認応答モード
UMD  非確認型モードデータ
UMTS  ユニバーサルモバイル通信システム
UTRA  UMTS地上無線アクセス
UTRAN  UMTS地上無線アクセスネットワーク
MBSFN  マルチキャスト/ブロードキャスト単一周波数ネットワーク
MCE  MBMS調整エンティティ
MCH  マルチキャストチャネル
DL-SCH  ダウンリンク共有チャネル
MSCH  MBMS制御チャネル
PDCCH  物理ダウンリンク制御チャネル
PDSCH  物理ダウンリンク共有チャネル
【００４４】
図3は、処理システム314を使用する装置300のハードウェア実装の一例を示す概念図である。この例では、処理システム314は、バス302によって概略的に表されるバスアーキテクチャで実施することができる。バス302は、処理システム314の特定の適用例および全体的な設計制約に応じて、任意の数の相互接続するバスおよびブリッジを含むことができる。バス302は、プロセッサ304によって概略的に表される1つまたは複数のプロセッサ、およびコンピュータ可読媒体306によって概略的に表されるコンピュータ可読媒体を含む様々な回路を互いにリンクさせる。バス302は、タイミングソース、周辺機器、電圧調整器、および電力管理回路など、様々な他の回路をリンクさせることもでき、これらの回路は当技術分野で知られており、したがって、これ以上は説明しない。バスインターフェース308は、バス302とトランシーバ310との間にインターフェースを提供する。トランシーバ310は、送信媒体上の様々な他の装置と通信するための手段を提供する。また、装置の性質に応じて、ユーザインターフェース312(たとえば、キーパッド、ディスプレイ、スピーカ、マイクロフォン、ジョイスティックなど)が設けられていてもよい。
【００４５】
プロセッサ304は、バス302の管理、およびコンピュータ可読媒体306に記憶されたソフトウェアの実行を含む一般の処理を受け持つ。ソフトウェアは、プロセッサ304によって実行されると、任意の特定の装置の以下に記載される様々な機能を処理システム314に実行させる。コンピュータ可読媒体306は、ソフトウェアを実行するとき、プロセッサ304によって操作されるデータを格納するために使用されてもよい。
【００４６】
さらに、プロセッサ304は、WCDによって、2つ以上のパイロットチャネルのWCDによる送信に応答してビームフォーミング重みベクトルを受信するための手段と、2つ以上のパイロットチャネルのうちの第1のもの、1つまたは複数のデータチャネル、あるいは1つまたは複数の制御チャネルのうちの少なくとも1つに受信されたビームフォーミング重みベクトルを適用するための手段と、1つまたは複数のデータチャネルのうちの少なくとも1つ、あるいは1つまたは複数の制御チャネルのうちの少なくとも1つを、2つ以上のアンテナを使用して送信するための手段であり、パイロットチャネルの数がアンテナの数以上である、手段とを提供することができる。一態様では、プロセッサ304は、受信されたビームフォーミング重みベクトルから第2のビームフォーミング重みベクトルを導出するための手段と、導出された第2のビームフォーミング重みベクトルを2つ以上のパイロットチャネルのうちの第2のものに適用するための手段と、2つ以上のアンテナを使用して、受信されたビームフォーミング重みベクトルとともに2つ以上のパイロットチャネルのうちの第1のものを送信するための手段と、2つ以上のアンテナを使用して、導出された第2のビームフォーミング重みベクトルとともに2つ以上のパイロットチャネルの第2のものを送信するための手段とをさらに提供し得る。そのような態様では、仮想アンテナは、重み係数に対応するベクトルチャネルとして定義され得る。別の態様では、プロセッサ304は、2つ以上のアンテナのうちの第1のアンテナを使用して、2つ以上のパイロットチャネルのうちの第1のものを送信するための手段と、2つ以上のアンテナのうちの第2のアンテナを使用して、2つ以上のパイロットチャネルのうちの第2のものを送信するための手段とをさらに提供することができる。別の態様では、プロセッサ304は、2つ以上のアンテナを使用して、受信されたビームフォーミング重みベクトルとともに2つ以上のパイロットチャネルのうちの第1のものを送信するための手段と、2つ以上のアンテナのうちの第2のアンテナを使用して、2つ以上のパイロットチャネルのうちの第2のものを送信するための手段とをさらに提供することができる。別の態様では、プロセッサ304は、受信されたビームフォーミング重みベクトルを1つまたは複数のパイ
ロットチャネルのうちの第3のものに適用するための手段と、2つ以上のアンテナを使用して、受信されたビームフォーミング重みベクトルとともに2つ以上のパイロットチャネルのうちの第3のものを送信するための手段と、2つ以上のアンテナのうちの第1のアンテナを使用して、2つ以上のパイロットチャネルのうちの第1のものを送信するための手段と、2つ以上のアンテナのうちの第2のものを使用して、2つ以上のパイロットチャネルのうちの第2のものを送信するための手段とをさらに提供することができる。別の態様では、プロセッサ304は、2つ以上のパイロットチャネルのうちの第1のものの電力制御値を受信するための手段と、受信された電力制御値から2つ以上のパイロットチャネルのうちの第2のものの第2の電力制御値を導出するための手段とをさらに提供することができる。
【００４７】
別の態様では、プロセッサ304は、ワイヤレス通信デバイスから、2つ以上のパイロットチャネル信号を受信するための手段と、2つ以上のパイロットチャネルのうちの第1のものの信号対雑音比を最大にするようにビームフォーミング重みベクトルを決定するための手段と、決定されたビームフォーミング重みベクトルをWCDに送信するための手段とを提供し得る。
【００４８】
本開示全体にわたって提示される様々な概念は、広範な電気通信システム、ネットワークアーキテクチャ、および通信規格にわたって実現することができる。限定されるものではないが、例として、図4に示される本開示の態様は、W-CDMAエアインターフェースを使用するUMTSシステム400を参照して示される。UMTSネットワークは、コアネットワーク(CN)404、UMTS Terrestrial Radio Access Network (UTRAN)402、およびユーザ機器(UE)410の3つの相互作用する領域を含む。この例では、UTRAN402は、電話、ビデオ、データ、メッセージング、ブロードキャスト、および/または他のサービスを含む様々なワイヤレスサービスを提供する。UTRAN402は、RNC406などの無線ネットワークコントローラをそれぞれ含むRNS407などの複数の無線ネットワークサブシステム(RNS)を含むことができる。ここで、UTRAN402は、本明細書で説明するRNC406およびRNS407に加えて、任意の数のRNC406およびRNS407を含むことができる。RNC406は、特に、RNS407内の無線リソースを割り当て、再構成し、解放することを受け持つ装置である。RNC406は、任意の適切なトランスポートネットワークを使用して、直接の物理接続、仮想ネットワークなど様々なタイプのインターフェースを介してUTRAN402の他のRNC(図示せず)に相互接続することができる。
【００４９】
UE410とノードB408との間の通信は、物理(PHY)層および媒体アクセス制御(MAC)層を含むものと見なされ得る。さらに、それぞれのノードB408によるUE410とRNC406との間の通信は、無線リソース制御(RRC)層を含むものと見なされ得る。本明細書では、PHY層は、レイヤ1と見なされ、MAC層は、レイヤ2と見なされ、RRC層は、レイヤ3と見なされ得る。以下、情報は、参照により本明細書に組み込まれる無線リソース制御(RRC)プロトコル仕様、3GPP TS 25.331 v9.1.0に述べられている用語を使用する。
【００５０】
RNS407によってカバーされる地理的領域は、いくつかのセルに分けることができ、無線トランシーバ装置が各セルに間にサービスする。無線トランシーバ装置は、通常、UMTS適用例でノードBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、またはいくつかの他の適切な用語で呼ばれることもある。さらに、いくつかの適用例は、ホームノードB(HNB)、ホーム拡張ノードB(HeNB)、フェムトアクセスポイント(FAP)、アクセスポイント基地局などによってサービスされるフェムトセルを利用することができる。明快のために、図示の例では、各RNS407に3つのノードB408が示されているが、RNS407は、任意の数のワイヤレスノードBを含むことができる。ノード408は、ワイヤレスアクセスポイントを任意の数のモバイル装置のためのCN404に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオ装置、デジタルオーディオプレーヤ(たとえば、MP3プレーヤ)、カメラ、ゲーム機、または任意の他の類似の機能デバイスなどがある。モバイル装置は、通常、UMTS適用例ではUEと呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、またはいくつかの他の適切な用語で呼ばれることもある。UMTSシステムでは、UE410は、ネットワークへのユーザの加入情報を含む汎用加入者識別モジュール(USIM)411をさらに含むことができる。説明のために、1つのUE410がいくつかのノードB408と通信しているように示されている。順方向リンクとも呼ばれるダウンリンク(DL)は、ノードB408からUE410までの通信リンクを指し、逆方向リンクとも呼ばれるアップリンク(UL)は、UE410からノードB408への通信リンクを指す。
【００５１】
CN領域404は、UTRAN402など1つまたは複数のアクセスネットワークとインターフェースをとる。図示のように、コアネットワーク404は、GSM(登録商標)コアネットワークである。しかしながら、当業者であれば認識するように、GSM(登録商標)ネットワーク以外のタイプのコアネットワークへのアクセスをUEに提供するために、本開示全体にわたって提示される様々な概念を、RANまたは他の適切なアクセスネットワークにおいて実施することができる。
【００５２】
コアネットワーク404は、回線交換(CS)領域およびパケット交換(PS)領域を含む。回線交換要素のいくつかは、モバイルサービス交換センタ(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換領域とパケット交換領域の両方によって共有され得る。図示の例では、コアネットワーク404は、MSC412およびGMSC414により回線交換サービスをサポートする。いくつかの適用例では、GMSC414は、メディアゲートウェイ(MGW)とも呼ばれ得る。RNC406など1つまたは複数のRNCは、MSC412に接続され得る。MSC412は、呼設定、コールルーティング、およびUEモビリティ機能を制御する装置である。MSC412は、UEがMSC412のカバレージエリア内にある持続時間の間の加入者関連の情報を含むビジターロケーションレジスタ(VLR)も含む。GMSC414は、UEが回路交換ネットワーク416にアクセスするためのMSC412を介したゲートウェイを提供する。GMSC414は、特定のユーザが加入したサービスの詳細を反映するデータなど、加入者データを含むホームロケーションレジスタ(HLR)415を含む。HLRは、加入者に固有の認証データを含む認証センタ(AuC)にも関連付けられている。特定のUEについて、呼が受信されると、GMSC414は、UEの位置を決定するためにHLR415に問い合わせ、その位置にサービスする特定のMSCに呼を転送する。
【００５３】
また、コアネットワーク404は、SGSN418およびGGSN420によりパケットデータサービスをサポートする。汎用パケット無線サービスを表すGPRSは、標準の回線交換データサービスで使用可能なものより速い速度でパケットデータサービスを提供するよう設計されている。GGSN420は、UTRAN402のパケットベースネットワーク422への接続を提供する。パケットベースネットワーク422は、インターネット、プライベートデータネットワーク、または何らかの他の適切なパケットベースネットワークでもよい。GGSN420の主要機能は、UE410にパケットベースネットワーク接続を提供することである。データパケットは、MSC412が回線交換領域において実行するのと同じ機能をパケットベース領域において主に実行するSGSN418を介してGGSN420とUE410との間に転送され得る。
【００５４】
UMTSエアインターフェースは、スペクトラム拡散直接シーケンス符号分割多元接続(DS-CDMA)システムである。スペクトラム拡散DS-CDMAは、チップと呼ばれる一連の疑似ランダムビットとの乗算によって、ユーザデータを拡散させる。UMTSのW-CDMAエアインターフェースは、そのような直接シーケンススペクトラム拡散技術に基づいており、さらに周波数分割複信(FDD)を必要とする。FDDは、ノードB408とUE410との間のULおよびDLに異なる搬送周波数を使用する。DS-CDMAを利用し、時分割複信を使用するUMTSの別のエアインターフェースは、TD-SCDMAエアインターフェースである。本明細書で説明する様々な例は、WCDMAエアインターフェースを指し得るが、基礎をなす原理はTD-SCDMAエアインターフェースに等しく適用可能であることを当業者であれば認識されよう。
【００５５】
一般に、デバイス間の通信中、閉ループ送信ダイバーシティ(CLTD)ビームフォーミングは、送信電力をあまり使用せずにデータレートを向上させるために使用され得る。複数のビームフォーミング方式は、態様例を介して本明細書で説明されている。すべてのこれらの方式において、UE送信機は、ノードBで受信される送信アンテナからの信号が強め合うように追加され得るように、複数の送信アンテナを介してプリコーディング(たとえばビームフォーミング)ベクトルを適用することができる。そのような強め合う追加は、ノードB受信機信号対雑音比(SNR)を最大にするのを助け、したがって、ビームフォーミング効果を達成することができる。本明細書で説明するCLTDビームフォーミング方式によって、ユーザは、アップリンクデータレートの増加および/または送信電力の低減を経験することができ、したがって、アップリンクカバレージレンジを改良することができる。さらに、本明細書で説明する方式は、サービングセル以外のセルへの干渉を低減することができる。
【００５６】
次に図5を参照すると、1つまたは複数のビームフォーミングを使用してアップリンク送信ダイバーシティを可能にするためのワイヤレス通信システム500のブロック図が示されている。システム500は、1つまたは複数の基地局520および1つまたは複数のワイヤレス通信デバイス(たとえば、端末、UE)510を含むことができ、これらはそれぞれのアンテナ526および516を介して通信することができる。一態様では、基地局520は、EノードBとして機能することができる。さらに、基地局520は、1つまたは複数の送信ダイバーシティ方式を実装するように動作可能であり得る送信ダイバーシティモジュール522を含み得る。またさらに、送信ダイバーシティモジュール522は、ビームフォーミングによってアップリンク送信ダイバーシティを可能にするためのビームフォーミング重みベクトルを生成するように動作可能であり得るビームフォーミングベクトルモジュール524を含み得る。一態様では、UE510は、1つまたは複数の送信ダイバーシティ方式を実装するように動作可能であり得る送信ダイバーシティモジュール512を含み得る。さらに、送信ダイバーシティモジュール512は、1つまたは複数の受信されたビームフォーミング重みベクトルを使用してビームフォーミングを可能にするように動作可能であり得るビームフォーミングベクトルモジュール514を含み得る。
【００５７】
一態様では、基地局520は、トランシーバおよびアンテナ526を介して端末510へのDL通信を行うことができる。UE510で、DL通信は、アンテナ516およびトランシーバを介して受信され得る。一態様では、DL通信情報は、ビームフォーミング重みベクトルを含むことができる。別の態様では、端末510は、トランシーバおよびアンテナ516を介して基地局520へのUL通信を行うことができる。基地局520で、UL通信は、アンテナ526およびトランシーバを介して受信され得る。一態様では、UE510から基地局520に伝えられる情報は、ビームフォーミング重みベクトルを使用して送信され得る。
【００５８】
動作時、ビームフォーミングを可能にする閉ループアップリンク送信方式は、UE510が複数のアンテナ516から基地局520に複数のパイロットチャネル信号を送信することを含むことができる。さらに、基地局520に関連付けられた送信ダイバーシティモジュール522は、複数のパイロットチャネル送信を受信し、受信されたパイロットチャネルに基づいてアップリンクチャネル値を推定することができる。ビームフォーミングベクトルモジュール524は、プライマリパイロットチャネルがデータチャネルおよび制御チャネルと同じビームにある場合、データチャネルおよび制御チャネルならびにプライマリパイロットチャネルの受信された信号対雑音比を最大にするために、推定されたアップリンクチャネル値から、最適な位相および/または振幅値を決定することができる。一態様では、プライマリパイロットチャネルは、第1のパイロットチャネルである。さらに、ビームフォーミングベクトルモジュール524は、決定された値からビームフォーミング重みベクトルを生成することができ、ビームフォーミング重みベクトルをUE510に送信することができる。一態様では、ビームフォーミング重みベクトルは、フラクショナル専用物理チャネル(F-DPCH)を使用して送信される。またさらに、UE510は、ビームフォーミング重みベクトルを受信することができ、ビームフォーミングベクトルモジュール514は、ビームフォーミング重みベクトル情報を少なくとも1つまたは複数のデータチャネルおよび1つまたは複数の制御チャネルに適用することができる。一態様では、データチャネルには、拡張専用物理データチャネル(E-DPDCH)、高速専用物理データチャネル(HS-DPDCH)、R99専用物理データチャネル(R99-DPDCH)などがある。さらに、一態様では、制御チャネルには、拡張専用物理制御チャネル(E-DPCCH)などがある。さらに、2つ以上のパイロットチャネルは、2つ以上のDPCCHを使用して可能になり得る。さらに、データチャネルおよび制御チャネルは、優位な仮想アンテナ上で送信することができ、様々なビームフォーミング方式は、パイロットチャネルへのビームフォーミング情報の適用に関して異なり得る。一態様では、ビームフォーミング重みベクトル情報は、第1のパイロットチャネルにも適用され得る。別
の態様においては、ビームフォーミング重みベクトル情報を、第1のパイロットチャネルに適用することができ、ビームフォーミング重みベクトルから導出された情報を第2のパイロットチャネルおよび/または追加のパイロットチャネルに適用することができる。さらに、そのような態様では、追加の情報は、ビームフォーミング重みベクトルから導出され、情報が第2のパイロットチャネルに適用され得るのと同様の方法で、任意の数の追加のパイロットチャネルに適用され得る。ビームフォーミング重みベクトルを適用するための様々な方式について、図7〜図10を参照しながら説明する。一態様では、パイロットチャネル送信は、時間整合され得る。
【００５９】
図6は、提示した主題の様々な態様による様々な方法を示す。説明を簡単にするために、方法は、一連の行為として図示および説明しているが、いくつかの行為は、本明細書で図示および説明したものと異なる順序で、および/または他の行為と同時に行うことができるため、請求する主題は、行為の順序によって限定されないことを理解し、諒解されたい。たとえば、方法は、代わりに、たとえば状態図においてなど、一連の相互に関係する状態またはイベントとして表すことができることを、当業者であれば理解し、諒解されよう。さらに、請求された主題に従って方法を実施するために、示したすべての行為が必要とされ得るわけではない。さらに、以下および本明細書の全体にわたって開示される方法を製造品に格納して、そのような方法をコンピュータにトランスポートし、伝達するのを容易にすることができることをさらに諒解されたい。製造品の用語は、本明細書で使用する場合、任意のコンピュータ可読デバイス、キャリア、または媒体からアクセス可能なコンピュータプログラムを含むものとする。
【００６０】
次に図6を参照すると、1つまたは複数のビームフォーミング方式を使用してアップリンク送信ダイバーシティを可能にするための例示的な方法600が示される。一般に、参照番号602で、UEは、複数のパイロット信号をサービングノードBに送信することができる。一態様では、サービングノードBは、ビームフォーミング重み情報を決定し、UEに送信するためのビームフォーミング重みベクトルを生成することができる。参照番号604で、UEは、決定されたビームフォーミング重みベクトルを受信する。一態様では、ビームフォーミング重みベクトルは、フラクショナル専用物理チャネル(F-DPCH)を介してUEによって受信される。一態様では、ビームフォーミング重みベクトルは、振幅、および/または位相情報あるいは1つまたは複数のチャネルを含み得る。一態様では、プライマリパイロットチャネルの電力制御値は、F-DPCHを介してUEによって受信される。そのような一態様において、UEは、受信された電力値から追加のパイロットチャネルのための電力値を導出することができる。別の態様では、F-DPCHを介して送られる電力制御値は、パイロットチャネルごとに電力値を含むことができる。参照番号606で、受信されたビームフォーミングベクトルは、1つまたは複数のデータチャネルおよび1つまたは複数の制御チャネルに適用され得る。別の態様では、受信されたビームフォーミング重みベクトル情報は、第1のパイロットチャネルにも適用され得る。
【００６１】
参照608で、随意に、プライマリパイロットチャネル以外の2つ以上のパイロットチャネルのためのビームフォーミング値は、受信されたビームフォーミング重みベクトルから導出され得る。そのような態様では、導出されたビームフォーミング情報は、プライマリおよびセカンダリのパイロットチャネルが直交するような移相シフトを含み得る。さらに、随意に、参照番号610で、導出されたビームフォーミング重み情報は、第2のパイロットチャネルに適用され得る。参照番号612で、少なくともデータチャネルおよび制御チャネルは、複数のアンテナを介して適用されたビームフォーミング値を使用して送信され得る。別の態様では、少なくとも、プライマリパイロットチャネルは、適用されたビームフォーミング情報とともに送信され得る。
【００６２】
次に図7を参照すると、アップリンクビームフォーミング送信ダイバーシティ方式を実施するための例示的なブロック図が示される。図示された態様において、例示的なUE700が示される。UE700は、変調ユニット706を介してアクセスされる複数のアンテナ(702、704)を含むことができる。さらに、UE700は、ビームフォーミング重みベクトル、および/またはビームフォーミング重みベクトルから導出されたビームフォーミング重み情報を適用するように動作可能な1つまたは複数のビームフォーミングモジュール708を含むことができる。さらに、拡散モジュール712は、プライマリパイロットチャネル714、1つまたは複数のデータチャネル716、1つまたは複数の制御チャネル718、およびセカンダリパイロットチャネル720など、様々なチャネルに拡散率を適用することができる。一態様では、データチャネル716には、拡張専用物理データチャネル(E-DPDCH)、高速専用物理データチャネル(HS-DPDCH)、R99専用物理データチャネル(R99-DPDCH)などがある。さらに、一態様では、制御チャネル718には、拡張専用物理制御チャネル(E-DPCCH)などがある。
【００６３】
図7に示すように、データチャネル716および制御チャネル718、ならびにプライマリパイロットチャネル714は、ダウンリンク制御チャネルを介してノードBによって信号を送られるビームフォーミング重みベクトルを使用して、優位な仮想アンテナ上で送信することができ、セカンダリパイロットチャネル720は、より弱い仮想アンテナ上で送信され得る。そのような態様では、優位なアンテナに関連付けられたビームフォーミングベクトルは、[a1 a2ejθ]と表すことができ、式中、
【００６４】
【数１】
0005572721.tif 000002
【００６５】
であり、ビームフォーミング位相は、θによって表される。一態様では、ビームフォーミング位相θは、{0、90、180、270}度などの有限集合に量子化され得る。同様に、別の態様では、振幅変数[a1 a2]は、有限集合に属し得る。
【００６６】
さらに、スケーリング係数722は、セカンダリパイロットチャネル720に適用され得る。そのような態様では、セカンダリパイロットチャネルの導入による、ノードB受信機でのチャネル推定と送信電力オーバーヘッドとの間のトレードオフを達成するために、1より小さい非負のスケーリング係数α 722を導入することができる。
【００６７】
一態様では、より弱いアンテナまたは仮想アンテナに関連付けられたビームフォーミングベクトルは、[a2 a1ejθ]と表され得る。一態様では、より弱い仮想アンテナに関連付けられたビームフォーミングベクトルは、優位な仮想アンテナに関連付けられたビームフォーミングベクトルに直交してもよい。
【００６８】
動作時、第1のアンテナ702上で送信されるベースバンド信号に対するビームフォーミングベクトルの適用は、[βcxp1'(n)+βdxd(n)+βecxec(n)+βedxed(n)+βhsxhs(n)]・α1・s(n)+αβcxp2(n)・α2・s(n)と表すことができ、第2のアンテナ704上で送信されるベースバンド信号は、[βcxp1'(n)+βdxd(n)+βecxec(n)+βedxed(n)+βhsxhs(n)]・α2ejθ・s(n)+αβcxp2(n)・(-α1ejθ)・s(n)と表すことができ、式中、nは、チップ指数であり、x(n)と下付き文字c、d、ec、hs、edはそれぞれ、DPCCH、DPDCH、E-DPCCH、HS-DPCCH、およびE-DPDCHチャネルを表し得る。適切な下付き文字と一緒の変数βは、特定チャネルのための利得係数を示し、s(n)は、スクランブルシーケンスである。
【００６９】
図示された態様では、1つの送信チェーンおよび1つの電力増幅器を使用し得る非送信ダイバーシティUEの動作の場合とは異なり、ビームフォーミング送信ダイバーシティUE700では、2つの送信チェーンおよび2つの電力増幅器があり得る。さらに、ノードB受信機では、復調は、非ビームフォーミングUEと同様に、たとえばプライマリパイロットチャネルに基づいてチャネルを推定することによって行われ得る。非サービングノードBはサービングセルノードBによって送られるビームフォーミングベクトルの知識を有していない場合があるが、プライマリパイロットチャネルのみに基づいてチャネルを推定することによって、非サービングノードBはビームフォーミングUE700のトラフィックおよび制御チャネルを復調し、復号することができるため、非サービングノードBによるこの推定能力は、ソフトハンドオーバのシナリオに役立ち得る。
【００７０】
次に図8を参照すると、アップリンクビームフォーミング送信ダイバーシティ方式を実施するための例示的なブロック図が示される。図示された態様において、例示的なUE800が示される。UE800は、変調ユニット806を介してアクセスされる複数のアンテナ(802、804)を含むことができる。さらに、UE800は、ビームフォーミング重みベクトルを適用するように動作可能な1つまたは複数のビームフォーミングモジュール808を含むことができる。さらに、拡散モジュール812は、プライマリパイロットチャネル814、1つまたは複数のデータチャネル816、1つまたは複数の制御チャネル818、およびセカンダリパイロットチャネル820など、様々なチャネルに拡散率を適用することができる。一態様では、データチャネル816には、拡張専用物理データチャネル(E-DPDCH)、高速専用物理データチャネル(HS-DPDCH)、R99専用物理データチャネル(R99-DPDCH)などがある。さらに、一態様では、制御チャネル818には、拡張専用物理制御チャネル(E-DPCCH)などがある。
【００７１】
図8に示すように、データチャネル816および制御チャネル818は、ダウンリンク制御チャネルを介してノードBによって信号を送られるビームフォーミング重みベクトルを使用して、優位な仮想アンテナ上で送信され得る。そのような態様では、優位な仮想アンテナに関連付けられたビームフォーミングベクトルは、[a1 a2ejθ]と表すことができ、式中、
【００７２】
【数２】
0005572721.tif 000003
【００７３】
であり、ビームフォーミング位相は、θによって表される。一態様では、ビームフォーミング位相θは、{0、90、180、270}度などの有限集合に量子化され得る。同様に、別の態様では、振幅変数[a1 a2]は、有限集合に属し得る。図示された態様において、プライマリパイロットチャネル814は、第1のアンテナ802を使用して送信することができ、セカンダリパイロットチャネル820は第2のアンテナ804を使用して送信することができる。
【００７４】
動作時、第1のアンテナ702上で送信されるベースバンド信号に対するビームフォーミングベクトルの適用は、[βdxd(n)+βecxec(n)+βedxed(n)+βhsxhs(n)]・α1・s(n)+βcxp1'(n)・s(n)と表すことができ、第2のアンテナ704上で送信されるベースバンド信号は、[βdxd(n)+βecxec(n)+βedxed(n)+βhsxhs(n)]・α2ejθ・s(n)+βcxp2(n)・s(n)と表すことができ、式中、nは、チップ指数であり、x(n)と下付き文字c、d、ec、hs、edはそれぞれ、DPCCH、DPDCH、E-DPCCH、HS-DPCCH、およびE-DPDCHチャネルを表し得る。適切な下付き文字と一緒の変数βは、特定チャネルのための利得係数を示し、s(n)は、スクランブルシーケンスである。
【００７５】
図示された態様では、1つの送信チェーンおよび1つの電力増幅器を使用し得る非送信ダイバーシティUEの動作の場合とは異なり、ビームフォーミング送信ダイバーシティUE700では、2つの送信チェーンおよび2つの電力増幅器があり得る。さらに、サービングノードB受信機では、復調の目的で、データチャネルおよび制御チャネルから見た複合チャネル応答を推定するために、サービングノードB受信機は、2つのパイロットチャネル(814、820)に基づいて、ビームフォーミングUE800の物理アンテナ(802、804)の各々とノードBの受信アンテナとの間のチャネルを最初に推定することができる。その後、サービングノードB受信機は、データチャネルおよび制御チャネルに適用されたビームフォーミングベクトルに基づいて、複合チャネルを合成することができる。そのような態様では、非サービングノードBは、サービングノードBによって送られるビームフォーミングベクトルについての知識を有していない場合があり、したがってUEのデータチャネルおよび制御チャネルを復調することができない場合がある。
【００７６】
次に図9を参照すると、アップリンクビームフォーミング送信ダイバーシティ方式を実施するための例示的なブロック図が示される。図示された態様において、例示的なUE900が示される。UE900は、変調ユニット906を介してアクセスされる複数のアンテナ(902、904)を含むことができる。さらに、UE900は、ビームフォーミング重みベクトルを適用するように動作可能な1つまたは複数のビームフォーミングモジュール908を含むことができる。さらに、拡散モジュール912は、プライマリパイロットチャネル914、1つまたは複数のデータチャネル916、1つまたは複数の制御チャネル918、およびセカンダリパイロットチャネル920など、様々なチャネルに拡散率を適用することができる。一態様では、データチャネル916には、拡張専用物理データチャネル(E-DPDCH)、高速専用物理データチャネル(HS-DPDCH)、R99専用物理データチャネル(R99-DPDCH)などがある。さらに、一態様では、制御チャネル918には、拡張専用物理制御チャネル(E-DPCCH)などがある。
【００７７】
図9に示すように、データチャネル916および制御チャネル918、ならびにプライマリパイロットチャネル914は、ダウンリンク制御チャネルを介してノードBによって信号を送られるビームフォーミング重みベクトルを使用して、優位な仮想アンテナ上で送信することができ、セカンダリパイロットチャネル920は、第2の物理送信アンテナ904上で送信され得る。そのような態様では、優位な仮想アンテナに関連付けられたビームフォーミングベクトルは、[a1 a2ejθ]と表すことができ、式中、
【００７８】
【数３】
0005572721.tif 000004
【００７９】
であり、ビームフォーミング位相は、θによって表される。一態様では、ビームフォーミング位相θは、{0、90、180、270}度などの有限集合に量子化され得る。同様に、別の態様では、振幅変数[a1 a2]は、有限集合に属し得る。
【００８０】
動作時、第1のアンテナ702上で送信されるベースバンド信号に対するビームフォーミングベクトルの適用は、[βcxp1'(n)+βdxd(n)+βecxec(n)+βedxed(n)+βhsxhs(n)]・α1・s(n)と表すことができ、第2のアンテナ704上で送信されるベースバンド信号は、[βcxp1'(n)+βdxd(n)+βecxec(n)+βedxed(n)+βhsxhs(n)]・α1ejθ・s(n)+βcxp2(n)・s(n)と表すことができ、式中、nは、チップ指数であり、x(n)と下付き文字c、d、ec、hs、edはそれぞれ、DPCCH、DPDCH、E-DPCCH、HS-DPCCH、およびE-DPDCHチャネルを表し得る。適切な下付き文字と一緒の変数βは、特定チャネルのための利得係数を示し、s(n)は、スクランブルシーケンスである。
【００８１】
図示された態様では、1つの送信チェーンおよび1つの電力増幅器を使用し得る非送信ダイバーシティUEの動作の場合とは異なり、ビームフォーミング送信ダイバーシティUE700では、2つの送信チェーンおよび2つの電力増幅器があり得る。さらに、ノードB受信機では、復調は、非ビームフォーミングUEと同様に、たとえばプライマリパイロットチャネルに基づいてチャネルを推定することによって行われ得る。非サービングノードBはサービングセルノードBによって送られるビームフォーミングベクトルの知識を有していない場合があるが、プライマリパイロットチャネルのみに基づいてチャネルを推定することによって、非サービングノードBはビームフォーミングUE700のトラフィックおよび制御チャネルを復調し、復号することができるため、非サービングノードBによるこの推定能力は、ソフトハンドオーバのシナリオに役立ち得る。またさらに、図示された態様において、サービングノードBがビームフォーミングベクトルを推定するために、サービングノードBは、両方のパイロットチャネルを使用して、ビームフォーミングUE902の送信アンテナ(902、904)の各々とノードBの受信アンテナとの間のチャネルの推定を取得することができる。そのような態様では、推定処理の結果、減算演算のためにノイズの強化が生じ得る。
【００８２】
次に図10を参照すると、アップリンクビームフォーミング送信ダイバーシティ方式を実施するための例示的なブロック図が示される。図示された態様において、例示的なUE1000が示される。UE1000は、変調ユニット1006を介してアクセスされる複数のアンテナ(1002、1004)を含むことができる。さらに、UE1000は、ビームフォーミング重みベクトル、および/またはビームフォーミング重みベクトルから導出されたビームフォーミング重み情報を適用するように動作可能な1つまたは複数のビームフォーミングモジュール1008を含むことができる。さらに、拡散モジュール1012は、プライマリパイロットチャネル1014、1つまたは複数のデータチャネル1016、1つまたは複数の制御チャネル1018、セカンダリパイロットチャネル1020、および第3のパイロットチャネル1022など、様々なチャネルに拡散率を適用することができる。一態様では、データチャネル1016には、拡張専用物理データチャネル(E-DPDCH)、高速専用物理データチャネル(HS-DPDCH)、R99専用物理データチャネル(R99-DPDCH)などがある。さらに、一態様では、制御チャネル1018には、E-DPCCHなどがある。
【００８３】
図10に示すように、データチャネル1016および制御チャネル1018、ならびに第3のパイロットチャネル1022は、ダウンリンク制御チャネルを介してノードBによって信号を送られるビームフォーミング重みベクトルを使用して、優位な仮想アンテナ上で送信され得る。そのような態様では、優位な仮想アンテナに関連付けられたビームフォーミングベクトルは、[a1 a2ejθ]と表すことができ、式中、
【００８４】
【数４】
0005572721.tif 000005
【００８５】
であり、ビームフォーミング位相は、θによって表される。一態様では、ビームフォーミング位相θは、{0、90、180、270}度などの有限集合に量子化され得る。同様に、別の態様では、振幅変数[a1 a2]は、有限集合に属し得る。図示された態様において、プライマリパイロットチャネル1014は、第1のアンテナ1002を使用して送信することができ、セカンダリパイロットチャネル1020は第2のアンテナ1004を使用して送信することができる。したがって、3つのパイロットチャネル(1014、1020、1022)が送信され得る。
【００８６】
動作時、第1のアンテナ302上で送信されるベースバンド信号に対するビームフォーミングベクトルの適用は、[βcxp3'(n)+βdxd(n)+βecxec(n)+βedxed(n)+βhsxhs(n)]・α1・s(n)+βcxp1(n)・s(n)と表すことができ、第2のアンテナ304上で送信されるベースバンド信号は、[βcxp3'(n)+βdxd(n)+βecxec(n)+βedxed(n)+βhsxhs(n)]・α2ejθ・s(n)+βcxp2(n)・s(n)と表すことができ、式中、nは、チップ指数であり、x(n)と下付き文字c、d、ec、hs、edはそれぞれ、DPCCH、DPDCH、E-DPCCH、HS-DPCCH、およびE-DPDCHチャネルを表し得る。適切な下付き文字と一緒の変数βは、特定チャネルのための利得係数を示し、s(n)は、スクランブルシーケンスである。
【００８７】
図示された態様では、1つの送信チェーンおよび1つの電力増幅器を使用し得る非送信ダイバーシティUEの動作の場合とは異なり、ビームフォーミング送信ダイバーシティUE1000では、2つの送信チェーンおよび2つの電力増幅器があり得る。さらに、ノードB受信機では、復調は、非ビームフォーミングUEと同様に、たとえばプライマリパイロットチャネルに基づいてチャネルを推定することによって行われ得る。非サービングノードBはサービングセルノードBによって送られるビームフォーミングベクトルの知識を有していない場合があるが、プライマリパイロットチャネルのみに基づいてチャネルを推定することによって、非サービングノードBはビームフォーミングUE1000のトラフィックおよび制御チャネルを復調し、復号することができるため、非サービングノードBによるこの推定能力は、ソフトハンドオーバのシナリオに役立ち得る。ビームフォーミングUEのアンテナとノードBのアンテナとの間のチャネルを推定するために、ノードB受信機は、第1および第2のパイロットチャネル(1014、1020)に基づいて、チャネル推定に依存することができる。
【００８８】
次に図11を参照すると、1つまたは複数のビームフォーミング方式を使用して、アップリンク送信ダイバーシティを可能にするワイヤレス通信システム1100(たとえばクライアントデバイス)の図が示されている。クライアントデバイス1100は、たとえば、1つまたは複数の受信アンテナ(図示せず)から1つまたは複数の信号を受信し、受信信号に典型的なアクション(たとえばフィルタ処理、増幅、ダウンコンバートなど)を実行し、条件付きの信号をデジタル化してサンプルを取得する受信機1102を含む。受信機1102は、受信された信号の復調のための搬送周波数を提供することができる発振器、および受信されたシンボルを復調し、それらをチャネル推定のためにプロセッサ1106に提供することができる復調器を含むことができる。一態様では、クライアントデバイス1100は、セカンダリ受信機1152をさらに含み、情報の追加チャネルを受信することができる。
【００８９】
プロセッサ1106は、受信機1102によって受信される情報を分析し、および/あるいは1つまたは複数の送信機1120(説明を簡単にするために、送信機1120およびオプションのセカンダリ送信機1122のみが示される)による送信のための情報を生成する専用のプロセッサ、クライアントデバイス1100の1つまたは複数の構成要素を制御するプロセッサ、および/または受信機1102および/または受信機1152によって受信される情報を分析し、1つまたは複数の送信アンテナ(図示せず)上での送信のために送信機1120によって送信するための情報を生成し、クライアントデバイス1100の1つまたは複数の構成要素を制御するプロセッサとすることができる。一態様では、クライアントデバイス1100は、セカンダリ送信機1122をさらに含み、情報の追加チャネルを送信することができる。
【００９０】
クライアントデバイス1100は、プロセッサ1106に動作可能に結合され、送信すべきデータ、受信されたデータ、使用可能なチャネルに関連する情報、分析された信号および/または干渉強度に関連付けられたデータ、割り当てられたチャネル、電力、レートなどに関連する情報、およびチャネルを推定し、チャネルを介して通信するための任意の他の適切な情報を格納することができるメモリ1108をさらに含むことができる。メモリ1108は、(たとえば、性能ベース、容量ベースなど)チャネルを推定し、および/または使用することに関連付けられたプロトコルおよび/またはアルゴリズムをさらに格納することができる。
【００９１】
本明細書で説明するデータストア(たとえば、メモリ1108)は揮発性メモリまたは不揮発性メモリのいずれかとすることができる、または揮発性と不揮発性の両方のメモリを含むことができることは諒解されよう。限定ではなく例として、不揮発性メモリには、読取り専用メモリ(ROM)、プログラマブルROM (PROM)、電気的プログラマブルROM(EPROM)、電気的消去可能PROM (EEPROM)、またはフラッシュメモリなどがあり得る。揮発性メモリは、ランダムアクセスメモリ(RAM)を含むことができ、これは外部キャッシュメモリとして働く。限定ではなく例として、RAMは、同期RAM (SRAM)、ダイナミックRAM (DRAM)、同期DRAM (SDRAM)、ダブルデータレートSDRAM (DDR SDRAM)、拡張SDRAM(ESDRAM)、シンクリンクDRAM (SLDRAM)、およびダイレクトRambus RAM (DRRAM)など、多くの形で使用可能である。対象のシステムおよび方法のメモリ1108は、それだけに限定されないが、これらおよび任意の他の適切なタイプのメモリを含むものとする。
【００９２】
クライアントデバイス1100は、送信ダイバーシティ通信を可能にするための送信ダイバーシティモジュール1112をさらに含み得る。送信ダイバーシティバーシティモジュール1112は、受信されたビームフォーミング重みベクトルを処理し、データチャネル、制御チャネル、または複数のパイロットチャネルのうちの少なくとも1つにビームフォーミング情報を適用するためのビームフォーミングベクトルモジュール1114をさらに含み得る。一態様では、データチャネルには、E-DPDCH、高速専用物理データチャネル(HS-DPDCH)、R99専用物理データチャネル(R99-DPDCH)などがある。さらに、一態様では、制御チャネルには、拡張専用物理制御チャネル(E-DPCCH)などがある。さらに、2つ以上のパイロットチャネルは、2つ以上のDPCCHを使用して可能になり得る。さらに、データチャネルおよび制御チャネルは、優位な仮想アンテナ上で送信することができ、様々なビームフォーミング方式は、パイロットチャネルへのビームフォーミング情報の適用に関して異なり得る。一態様では、ビームフォーミング重みベクトル情報は、第1のパイロットチャネルにも適用され得る。別の態様においては、ビームフォーミング重みベクトル情報を、第1のパイロットチャネルに適用することができ、ビームフォーミング重みベクトルから導出された情報を第2のパイロットチャネルおよび/または追加のパイロットチャネルに適用することができる。
【００９３】
さらに、モバイルデバイス1100は、ユーザインターフェース1140を含むことができる。ユーザインターフェース1140は、ワイヤレスデバイス1100への入力を生成するための入力機構1142、およびワイヤレスデバイス1100のユーザによる消費のための情報を生成するための出力機構1144を含むことができる。たとえば、入力機構1142は、キーまたはキーボード、マウス、タッチスクリーンディスプレイ、マイクロフォンなどの機構を含み得る。さらに、たとえば、出力機構1144は、ディスプレイ、オーディオスピーカ、ハプティックフィードバック機構、パーソナルエリアネットワーク(PAN)トランシーバなどを含み得る。図示された態様では、出力機構1144は、画像またはビデオフォーマットのメディアコンテンツを提示するように動作可能なディスプレイ、またはオーディオフォーマットのメディアコンテンツを提示するオーディオスピーカを含み得る。
【００９４】
図12を参照して、例示的なシステム1200は、複数の受信アンテナ1206を介して1つまたは複数のユーザデバイス1100から信号を受信する受信機1210、および複数の送信アンテナ1208を介して1つまたは複数のユーザデバイス1100に送信する送信機1220を含む基地局1202を含む。受信機1210は、受信アンテナ1206から情報を受信することができる。シンボルは、上記のプロセッサと類似した、ワイヤレスデータ処理に関連した情報を格納するメモリ1214に結合されるプロセッサ1212によって分析され得る。プロセッサ1212は、送信ダイバーシティ対応ユーザデバイス1100から受信された信号の処理を容易にする送信ダイバーシティモジュール1216にさらに結合される。一態様では、送信ダイバーシティモジュール1216は、ユーザデバイス1100から受信された複数のパイロットチャネルを処理することができる。そのような態様では、送信ダイバーシティモジュール1216は、プライマリパイロットチャネルがデータチャネルおよび制御チャネルと同じビームにある場合、データチャネルおよび制御チャネルならびにプライマリパイロットチャネルの受信された信号対雑音比を最大にするために、推定されたアップリンクチャネル値から、最適な位相および/または振幅値を決定するように動作可能なビームフォーミングベクトルモジュール1218をさらに含む。一態様では、プライマリパイロットチャネルは、第1のパイロットチャネルである。さらに、ビームフォーミングベクトルモジュール1218は、決定された値からビームフォーミング重みベクトルを生成することができ、ビームフォーミング重みベクトルをUE1100に送信することができる。一態様では、ビームフォーミング重みベクトルは、フラクショナル専用物理チャネル(F-DPCH)を使用して送信される。信号は、送信機1220によって1つまたは複数の送信アンテナ1208を介してユーザデバイス1100に送信するために、多重化され、および/または準備され得る。
【００９５】
開示されるプロセスにおけるステップの特定の順序または階層は例示的な手法の一例であることを理解されたい。設計上の選好に基づいて、本開示の範囲内のままでありながら、プロセスにおけるステップの特定の順序または階層が再構成され得ることを理解されたい。添付の方法クレームは、サンプルの順序における様々なステップの要素を提示しており、提示される特定の順序または階層に限定されるものではない。
【００９６】
情報および信号は、多種多様な技術および技法のいずれかを使用して表され得ることを当業者であれば理解されよう。たとえば、上記説明の全体にわたって参照され得るデータ、命令、コマンド、情報、信号、ビット、シンボル、およびチップは、電圧、電流、電磁波、磁界もしくは粒子、光場もしくは粒子、またはその任意の組み合わせによって表され得る。
【００９７】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアおよびソフトウェアのこの互換性を明確に示すために、様々な例示的構成要素、ブロック、モジュール、回路、およびステップが、それらの機能に関して上記で全体的に説明されている。そのような機能がハードウェアとして実装されるか、ソフトウェアとして実装されるかは、特定のアプリケーションおよび全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００９８】
本明細書で開示する実施形態に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、たとえばDSPおよびマイクロプロセッサの組合せ、複数のマイクロプロセッサ、DSPコアに結合した1つまたは複数のマイクロプロセッサ、あるいは任意の他のそのような構成など、コンピューティングデバイスの組合せとして実装され得る。
【００９９】
本明細書で開示する実施形態に関して説明する方法またはアルゴリズムのステップは、直接ハードウェアで実施されるか、プロセッサによって実行されるソフトウェアモジュールで実施されるか、またはその2つの組合せで実施され得る。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はASIC中に常駐し得る。ASICはユーザ端末中に常駐し得る。代替として、プロセッサおよび記憶媒体は、ユーザ端末中に個別構成要素として常駐し得る。
【０１００】
開示される実施形態の上記の説明は、当業者が本開示を作成または使用できるようにするために提供される。これらの実施形態への様々な修正が当業者には容易に明らかになることになり、本明細書に定義する一般原理は、本開示の趣旨および範囲を逸脱することなしに他の実施形態に適用され得る。したがって、本開示は、本明細書に示す実施形態に限定されるものではなく、本明細書で開示する原理および新規の特徴に一致する最大の範囲を与えられるものである。
【符号の説明】
【０１０１】
100  アクセスポイント
104  アンテナ
106  アンテナ
108  アンテナ
110  アンテナ
112  アンテナ
114  アンテナ
116  アクセス端末
118  逆方向リンク
120  順方向リンク
122  アクセス端末
124  逆方向リンク
126  順方向リンク
200  MIMOシステム
210  送信機システム
212  データソース
214  TXデータプロセッサ
220  TX MIMOプロセッサ
222  送信機
224  アンテナ
230  プロセッサ
236  データソース
238  TXデータプロセッサ
240  復調器
242  RXデータプロセッサ
250  受信機システム
252  アンテナ
254  受信機
260  RXデータプロセッサ
270  プロセッサ
280  変調器
300  装置
302  バス
304  プロセッサ
306  コンピュータ可読媒体
308  バスインターフェース
310  トランシーバ
312  ユーザインターフェース
314  処理システム
400  UMTSシステム
402  UMTS地上無線アクセスネットワーク
404  コアネットワーク
406  RNC
407  RNS
408  ノードB
410  ユーザ機器
411  汎用加入者識別モジュール
412  MSC
414  GMSC
415  HLR
416  回路交換ネットワーク
418  SGSN
420  GGSN
422  パケットベースネットワーク
500  ワイヤレス通信システム
510  ワイヤレス通信デバイス
512  送信ダイバーシティモジュール
514  ビームフォーミングベクトルモジュール
516  アンテナ
520  基地局
522  送信ダイバーシティモジュール
524  ビームフォーミングベクトルモジュール
526  アンテナ
700  UE
702  アンテナ
704  アンテナ
706  変調ユニット
708  ビームフォーミングモジュール
712  拡散モジュール
714  プライマリパイロットチャネル
716  データチャネル
718  制御チャネル
720  セカンダリパイロットチャネル
722  スケーリング係数
800  UE
802  アンテナ
804  アンテナ
806  変調ユニット
808  ビームフォーミングモジュール
812  拡散モジュール
814  プライマリパイロットチャネル
816  データチャネル
818  制御チャネル
820  セカンダリパイロットチャネル
900  UE
902  アンテナ
904  アンテナ
906  変調ユニット
908  ビームフォーミングモジュール
912  拡散モジュール
914  プライマリパイロットチャネル
916  データチャネル
918  制御チャネル
920  セカンダリパイロットチャネル
1000  UE
1002  アンテナ
1004  アンテナ
1006  変調ユニット
1008  ビームフォーミングモジュール
1012  拡散モジュール
1014  プライマリパイロットチャネル
1016  データチャネル
1018  制御チャネル
1020  セカンダリパイロットチャネル
1022  第3のパイロットチャネル
1100  ワイヤレス通信システム
1102  受信機
1106  プロセッサ
1108  メモリ
1100  クライアントデバイス
1112  送信ダイバーシティモジュール
1114  ビームフォーミングベクトルモジュール
1120  送信機
1122  セカンダリ送信機
1140  ユーザインターフェース
1142  入力機構
1144  出力機構
1152  セカンダリ受信機
1200  システム
1202  基地局
1206  受信アンテナ
1208  送信アンテナ
1210  受信機
1212  プロセッサ
1214  メモリ
1216  送信ダイバーシティモジュール
1218  ビームフォーミングベクトルモジュール
1220  送信機
【図１】
0005572721.tif 000006
【図２】
0005572721.tif 000007
【図３】
0005572721.tif 000008
【図４】
0005572721.tif 000009
【図５】
0005572721.tif 000010
【図６】
0005572721.tif 000011
【図７】
0005572721.tif 000012
【図８】
0005572721.tif 000013
【図９】
0005572721.tif 000014
【図１０】
0005572721.tif 000015
【図１１】
0005572721.tif 000016
【図１２】
0005572721.tif 000017